(57)【要約】【課題】ベルト式無段変速機の変速の際にフィードフォワード指令値を適切に算出して定常域において変速ハンチングを抑制することができるベルト式無段変速機の変速制御装置を提供する。【解決手段】フィードフォワード出力流量ＱＦＦ（変速制御指令信号ＳＴ）の算出に際して、目標シーブ位置変化量ｄＸtに基づいてその目標シーブ位置変化量ｄＸtの絶対値が小さいときには大きいときに比べて小さくなるようにゲイン設定手段１５８によりフィードフォワード出力流量ＱＦＦの大きさを調整するためのゲインＫが設定されるので、目標シーブ位置変化量ｄＸtの絶対値が小さいときには大きいときに比べてフィードフォワード出力流量ＱＦＦの大きさが制限されて変速ハンチングの発生が抑制される。よって、目標シーブ位置変化量ｄＸtが小さな定常設定域において、特に目標シーブ位置Ｘtが変化しない定常域において変速ハンチングを抑制することができる。【選択図】図４
2008057587.tif 000002
【特許請求の範囲】
【請求項１】
固定シーブおよび可動シーブを備えた有効径が可変のプライマリプーリおよびセカンダリプーリと、該両プーリに巻き掛けられたベルトと、流入出する作動油量が変速制御弁によって調整されることにより前記プライマリプーリの可動シーブを駆動する油圧アクチュエータとを有するベルト式無段変速機が配設された車両において、前記無段変速機を変速制御するための目標値として前記プライマリプーリの可動シーブの目標シーブ位置を設定し、該目標シーブ位置の変化量に基づいて該可動シーブの移動に必要な作動油の流入出量を得るためのフィードフォワード指令値を算出し、該フィードフォワード指令値を用いて前記変速制御弁を駆動制御することにより変速を行うベルト式無段変速機の変速制御装置であって、
前記フィードフォワード指令値の算出に際して、該フィードフォワード指令値の大きさを調整するためのゲインを、前記目標シーブ位置の変化量に基づいて該変化量の絶対値が小さいときには大きいときに比べて小さくなるように設定するゲイン設定手段を含むことを特徴とするベルト式無段変速機の変速制御装置。
【請求項２】
前記ゲイン設定手段は、前記目標シーブ位置の変化量の絶対値が所定値よりも小さな範囲にあるときには、前記ゲインを零とするものである請求項１のベルト式無段変速機の変速制御装置。
【請求項３】
前記ゲイン設定手段は、前記無段変速機の作動油温度が低いときには高いときに比べて前記所定値を小さくするものである請求項２のベルト式無段変速機の変速制御装置。
【請求項４】
前記ゲイン設定手段は、車速が低いときには高いときに比べて前記所定値を小さくするものである請求項２または３のベルト式無段変速機の変速制御装置。
【発明の詳細な説明】
【技術分野】
【０００１】
本発明は、ベルト式無段変速機の変速制御装置に係り、特に、ベルト式無段変速機の変速を実行する際のフィードフォワード指令値を算出する技術に関するものである。
【背景技術】
【０００２】
固定シーブおよび可動シーブを備えた有効径が可変のプライマリプーリおよびセカンダリプーリと、それら両プーリに巻き掛けられたベルトと、プライマリプーリの可動シーブを移動させるために作動油の流入出によって駆動される油圧アクチュエータとを有するベルト式無段変速機の変速制御装置において、プライマリプーリの可動シーブの目標シーブ位置の変化速度に基づく可動シーブの移動に必要な作動油の流入出量を得るためのフィードフォワード指令値を用いて、油圧アクチュエータに流入出する作動油量を調整する変速制御弁を駆動制御することにより可動シーブのシーブ位置が目標シーブ位置となるように変速を行うことが良く知られている。
【０００３】
例えば、特許文献１に記載されたベルト式無段変速機の制御装置がそれである。この特許文献１には、ベルト式無段変速機の変速制御装置において、目標変速比を達成するためのプライマリプーリの可動シーブの目標シーブ位置を求め、その目標シーブ位置の変化量に基づいて可動シーブの移動に必要な作動油の流入出量を得るためのフィードフォワード指令値を算出し、可動シーブのシーブ位置が目標シーブ位置となるように変速を行うことが記載されている。
【０００４】
このように、フィードフォワード制御は目標シーブ位置の変化量に基づいてフィードフォワード指令値を算出する制御であり、目標シーブ位置が一定となる定常域すなわち目標シーブ位置が変化しない定常域では、フィードフォワード指令値が算出されず言い換えればフィードフォワード指令値が零とされて変速が行われない。
【０００５】
【特許文献１】特開２００６−１７１８２号公報
【発明の開示】
【発明が解決しようとする課題】
【０００６】
ところで、上記特許文献１に示されるように、目標シーブ位置は目標変速比に基づいて求められ、その目標変速比を設定するに当たっては出力回転速度が用いられる。この出力回転速度は回転速度センサによる検出値であり、外乱要因に基づく回転速度の変動がノイズ（外乱成分）として出力回転速度に含まれることがある。
【０００７】
そうすると、この出力回転速度に含まれるノイズ等により目標シーブ位置が変化し、ノイズの影響を含んだフィードフォワード指令値が算出される可能性がある。特に、目標シーブ位置が変化しない定常域においてはそのノイズの影響をより大きく受ける。つまり、本来なら目標シーブ位置が変化しない定常域であっても、上記ノイズ等により目標シーブ位置が変化してフィードフォワード指令値が算出されてしまい、アップシフトとダウンシフトとが繰り返される変速ハンチングが生じるという問題が発生する可能性があった。
【０００８】
本発明は、以上の事情を背景として為されたものであり、その目的とするところは、ベルト式無段変速機の変速の際にフィードフォワード指令値を適切に算出して定常域において変速ハンチングを抑制することができるベルト式無段変速機の変速制御装置を提供することにある。
【課題を解決するための手段】
【０００９】
かかる目的を達成するための請求項１にかかる発明の要旨とするところは、(a) 固定シーブおよび可動シーブを備えた有効径が可変のプライマリプーリおよびセカンダリプーリと、その両プーリに巻き掛けられたベルトと、流入出する作動油量が変速制御弁によって調整されることにより前記プライマリプーリの可動シーブを駆動する油圧アクチュエータとを有するベルト式無段変速機が配設された車両において、前記無段変速機を変速制御するための目標値として前記プライマリプーリの可動シーブの目標シーブ位置を設定し、その目標シーブ位置の変化量に基づいてその可動シーブの移動に必要な作動油の流入出量を得るためのフィードフォワード指令値を算出し、そのフィードフォワード指令値を用いて前記変速制御弁を駆動制御することにより変速を行うベルト式無段変速機の変速制御装置であって、(b) 前記フィードフォワード指令値の算出に際して、そのフィードフォワード指令値の大きさを調整するためのゲインを、前記目標シーブ位置の変化量に基づいてその変化量の絶対値が小さいときには大きいときに比べて小さくなるように設定するゲイン設定手段を含むことにある。
【発明の効果】
【００１０】
このようにすれば、フィードフォワード指令値の算出に際して、目標シーブ位置の変化量に基づいてその変化量の絶対値が小さいときには大きいときに比べて小さくなるようにゲイン設定手段によりそのフィードフォワード指令値の大きさを調整するためのゲインが設定されるので、目標シーブ位置の変化量の絶対値が小さいときには大きいときに比べてフィードフォワード指令値の大きさが制限されて変速ハンチングの発生が抑制される。よって、目標シーブ位置が変化しない定常域において変速ハンチングを抑制することができる。
【００１１】
ここで、請求項２にかかる発明は、請求項１に記載のベルト式無段変速機の変速制御装置において、前記ゲイン設定手段は、前記目標シーブ位置の変化量の絶対値が所定値よりも小さな範囲にあるときには、前記ゲインを零とするものである。このようにすれば、目標シーブ位置の変化量の絶対値が所定値よりも小さな範囲において、特に定常域において、フィードフォワード指令値が算出されるのを防止でき言い換えればフィードフォワード指令値が出力されるのを防止でき、一層変速ハンチングを抑制することができる。
【００１２】
また、請求項３にかかる発明は、請求項２に記載のベルト式無段変速機の変速制御装置において、前記ゲイン設定手段は、前記無段変速機の作動油温度が低いときには高いときに比べて前記所定値を小さくするものである。このようにすれば、作動油温度が低いために変速応答性が悪くなるときには、ゲインを零とする領域が狭くされて変速応答性が向上される。
【００１３】
また、請求項４にかかる発明は、請求項２または３に記載のベルト式無段変速機の変速制御装置において、前記ゲイン設定手段は、車速が低いときには高いときに比べて前記所定値を小さくするものである。このようにすれば、車速が低いために変速応答性が悪くなるときには、ゲインを零とする領域が狭くされて変速応答性が向上される。
【発明を実施するための最良の形態】
【００１４】
以下、本発明の実施例を図面を参照しつつ詳細に説明する。
【実施例】
【００１５】
図１は、本発明が適用された車両用駆動装置１０の構成を説明する骨子図である。この車両用駆動装置１０は横置き型自動変速機であって、ＦＦ（フロントエンジン・フロントドライブ）型車両に好適に採用されるものであり、走行用の動力源としてエンジン１２を備えている。内燃機関にて構成されているエンジン１２の出力は、エンジン１２のクランク軸、流体式伝動装置としてのトルクコンバータ１４から前後進切換装置１６、ベルト式の無段変速機（ＣＶＴ）１８、減速歯車装置２０を介して差動歯車装置２２に伝達され、左右の駆動輪２４Ｌ、２４Ｒへ分配される。
【００１６】
トルクコンバータ１４は、エンジン１２のクランク軸に連結されたポンプ翼車１４ｐ、およびトルクコンバータ１４の出力側部材に相当するタービン軸３４を介して前後進切換装置１６に連結されたタービン翼車１４ｔを備えており、流体を介して動力伝達を行うようになっている。また、それ等のポンプ翼車１４ｐおよびタービン翼車１４ｔの間にはロックアップクラッチ２６が設けられており、油圧制御回路１００（図２、図３参照）内の図示しないロックアップコントロールバルブ（L/C制御弁）などによって係合側油室および解放側油室に対する油圧供給が切り換えられることにより、係合または解放されるようになっており、完全係合させられることによってポンプ翼車１４ｐおよびタービン翼車１４ｔは一体回転させられる。ポンプ翼車１４ｐには、無段変速機１８を変速制御したりベルト挟圧力を発生させたり、ロックアップクラッチ２６を係合解放制御したり、或いは各部に潤滑油を供給したりするための油圧をエンジン１２により回転駆動されることにより発生する機械式のオイルポンプ２８が連結されている。
【００１７】
前後進切換装置１６は、ダブルピニオン型の遊星歯車装置を主体として構成されており、トルクコンバータ１４のタービン軸３４はサンギヤ１６ｓに一体的に連結され、無段変速機１８の入力軸３６はキャリア１６ｃに一体的に連結されている一方、キャリア１６ｃとサンギヤ１６ｓは前進用クラッチＣ１を介して選択的に連結され、リングギヤ１６ｒは後進用ブレーキＢ１を介してハウジングに選択的に固定されるようになっている。前進用クラッチＣ１および後進用ブレーキＢ１は断続装置に相当するもので、何れも油圧シリンダによって摩擦係合させられる油圧式摩擦係合装置である。
【００１８】
そして、前進用クラッチＣ１が係合させられるとともに後進用ブレーキＢ１が解放されると、前後進切換装置１６は一体回転状態とされることによりタービン軸３４が入力軸３６に直結され、前進用動力伝達経路が成立（達成）させられて、前進方向の駆動力が無段変速機１８側へ伝達される。また、後進用ブレーキＢ１が係合させられるとともに前進用クラッチＣ１が解放されると、前後進切換装置１６は後進用動力伝達経路が成立（達成）させられて、入力軸３６はタービン軸３４に対して逆方向へ回転させられるようになり、後進方向の駆動力が無段変速機１８側へ伝達される。また、前進用クラッチＣ１および後進用ブレーキＢ１が共に解放されると、前後進切換装置１６は動力伝達を遮断するニュートラル（遮断状態）になる。
【００１９】
無段変速機１８は、入力軸３６に設けられた入力側部材である有効径が可変の入力側可変プーリ（プライマリプーリ）４２と、出力軸４４に設けられた出力側部材である有効径が可変の出力側可変プーリ（セカンダリプーリ）４６と、それ等の可変プーリ４２、４６に巻き掛けられた伝動ベルト４８とを備えており、可変プーリ４２、４６と伝動ベルト４８との間の摩擦力を介して動力伝達が行われる。
【００２０】
可変プーリ４２および４６は、入力軸３６および出力軸４４にそれぞれ固定された固定回転体である入力側固定シーブ４２ａおよび出力側固定シーブ４６ａと、入力軸３６および出力軸４４に対して軸まわりの相対回転不能かつ軸方向の移動可能に設けられた可動回転体である入力側可動シーブ４２ｂおよび出力側可動シーブ４６ｂと、それらの間のＶ溝幅を変更する推力を付与する油圧アクチュエータとしての入力側油圧シリンダ（プライマリプーリ側油圧シリンダ）４２ｃおよび出力側油圧シリンダ（セカンダリプーリ側油圧シリンダ）４６ｃとを備えて構成されており、入力側油圧シリンダ４２ｃへの作動油の供給排出流量が油圧制御回路１００によって制御されることにより、両可変プーリ４２、４６のＶ溝幅が変化して伝動ベルト４８の掛かり径（有効径）が変更され、変速比γ（＝入力軸回転速度ＮＩＮ／出力軸回転速度ＮＯＵＴ）が連続的に変化させられる。また、出力側油圧シリンダ４６ｃの油圧（ベルト挟圧Ｐd）が油圧制御回路１００によって調圧制御されることにより、伝動ベルト４８が滑りを生じないようにベルト挟圧力が制御される。このような制御の結果として、入力側油圧シリンダ４２ｃの油圧（変速制御圧Ｐin）が生じるのである。
【００２１】
図２は、図１の車両用駆動装置１０などを制御するために車両に設けられた制御系統の要部を説明するブロック線図である。電子制御装置５０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより、エンジン１２の出力制御や無段変速機１８の変速制御およびベルト挟圧力制御やロックアップクラッチ２６のトルク容量制御等を実行するようになっており、必要に応じてエンジン制御用や無段変速機１８およびロックアップクラッチ２６の油圧制御用等に分けて構成される。
【００２２】
電子制御装置５０には、エンジン回転速度センサ５２により検出されたクランク軸回転角度（位置）ＡＣＲ（°）およびエンジン１２の回転速度（エンジン回転速度）ＮＥに対応するクランク軸回転速度を表す信号、タービン回転速度センサ５４により検出されたタービン軸３４の回転速度（タービン回転速度）ＮＴを表す信号、入力軸回転速度センサ５６により検出された無段変速機１８の入力回転速度である入力軸３６の回転速度（入力軸回転速度）ＮＩＮを表す信号、車速センサ（出力軸回転速度センサ）５８により検出された無段変速機１８の出力回転速度である出力軸４４の回転速度（出力軸回転速度）ＮＯＵＴすなわち出力軸回転速度ＮＯＵＴに対応する車速Ｖを表す信号、スロットルセンサ６０により検出されたエンジン１２の吸気配管３２（図１参照）に備えられた電子スロットル弁３０のスロットル弁開度θＴＨを表すスロットル弁開度信号、冷却水温センサ６２により検出されたエンジン１２の冷却水温ＴＷを表す信号、ＣＶＴ油温センサ６４により検出された無段変速機１８等の作動油温度（油温）ＴＣＶＴを表す信号、アクセル開度センサ６６により検出されたアクセルペダル６８の操作量であるアクセル開度Ａccを表すアクセル開度信号、フットブレーキスイッチ７０により検出された常用ブレーキであるフットブレーキの操作の有無ＢＯＮを表すブレーキ操作信号、レバーポジションセンサ７２により検出されたシフトレバー７４のレバーポジション（操作位置）ＰＳＨを表す操作位置信号などが供給されている。
【００２３】
また、電子制御装置５０からは、エンジン１２の出力制御の為のエンジン出力制御指令信号ＳＥ、例えば電子スロットル弁３０の開閉を制御するためのスロットルアクチュエータ７６を駆動するスロットル信号や燃料噴射装置７８から噴射される燃料の量を制御するための噴射信号や点火装置８０によるエンジン１２の点火時期を制御するための点火時期信号などが出力される。また、無段変速機１８の変速比γを変化させる為の変速制御指令信号ＳＴ例えば入力側油圧シリンダ４２ｃへの作動油の流量を制御するソレノイド弁ＤＳ１およびソレノイド弁ＤＳ２を駆動するための指令信号、伝動ベルト４８の挟圧力を調整させる為の挟圧力制御指令信号ＳＢ例えばベルト挟圧Ｐdを調圧するリニアソレノイド弁ＳＬＳを駆動するための指令信号、ライン油圧ＰＬを制御させる為のライン油圧制御指令信号ＳＰＬ例えばライン油圧ＰＬを調圧するリニアソレノイド弁ＳＬＴを駆動するための指令信号などが油圧制御回路１００へ出力される。
【００２４】
シフトレバー７４は、例えば運転席の近傍に配設され、順次位置させられている５つのレバーポジション「Ｐ」、「Ｒ」、「Ｎ」、「Ｄ」、および「Ｌ」（図３参照）のうちの何れかへ手動操作されるようになっている。
【００２５】
「Ｐ」ポジション（レンジ）は車両用駆動装置１０の動力伝達経路を解放しすなわち車両用駆動装置１０の動力伝達が遮断されるニュートラル状態（中立状態）とし且つメカニカルパーキング機構によって機械的に出力軸４４の回転を阻止（ロック）するための駐車ポジション（位置）であり、「Ｒ」ポジションは出力軸４４の回転方向を逆回転とするための後進走行ポジション（位置）であり、「Ｎ」ポジションは車両用駆動装置１０の動力伝達が遮断されるニュートラル状態とするための中立ポジション（位置）であり、「Ｄ」ポジションは無段変速機１８の変速を許容する変速範囲で自動変速モードを成立させて自動変速制御を実行させる前進走行ポジション（位置）であり、「Ｌ」ポジションは強いエンジンブレーキが作用させられるエンジンブレーキポジション（位置）である。このように、「Ｐ」ポジションおよび「Ｎ」ポジションは車両を走行させないときに選択される非走行ポジションであり、「Ｒ」ポジション、「Ｄ」ポジションおよび「Ｌ」ポジションは車両を走行させるときに選択される走行ポジションである。
【００２６】
図３は、油圧制御回路１００のうち無段変速機１８のベルト挟圧力制御、変速比制御、およびシフトレバー７４の操作に伴う前進用クラッチＣ１或いは後進用ブレーキＢ１の係合油圧制御に関する要部を示す油圧回路図である。図３において、油圧制御回路１００は、伝動ベルト４８が滑りを生じないように出力側油圧シリンダ４６ｃの油圧であるベルト挟圧Ｐdを調圧する挟圧力コントロールバルブ１１０、変速比γが連続的に変化させられるように入力側油圧シリンダ４２ｃへの作動油の流量を制御する変速制御弁としての変速比コントロールバルブＵＰ１１４および変速比コントロールバルブＤＮ１１６、変速制御圧Ｐinとベルト挟圧Ｐdとの比率を予め定められた関係とする推力比コントロールバルブ１１８、前進用クラッチＣ１および後進用ブレーキＢ１が係合或いは解放されるようにシフトレバー７４の操作に従って油路が機械的に切り換えられるマニュアルバルブ１２０等を備えている。
【００２７】
ライン油圧ＰＬは、エンジン１２により回転駆動される機械式のオイルポンプ２８から出力（発生）される作動油圧を元圧として、例えばリリーフ型のプライマリレギュレータバルブ（ライン油圧調圧弁）１２２によりリニアソレノイド弁ＳＬＴの出力油圧である制御油圧ＰＳＬＴに基づいてエンジン負荷等に応じた値に調圧されるようになっている。
【００２８】
より具体的には、プライマリレギュレータバルブ１２２は、軸方向へ移動可能に設けられることにより入力ポート１２２ｉを開閉してオイルポンプ２８から発生される作動油圧を出力ポート１２２ｔを経て吸入油路１２４へ排出するスプール弁子１２２ａと、そのスプール弁子１２２ａを閉弁方向へ付勢する付勢手段としてのスプリング１２２ｂと、そのスプリング１２２ｂを収容し且つスプール弁子１２２ａに閉弁方向の推力を付与するために制御油圧ＰＳＬＴを受け入れる油室１２２ｃと、スプール弁子１２２ａに開弁方向の推力を付与するためにオイルポンプ２８から発生される作動油圧を受け入れる油室１２２ｄとを備えている。
【００２９】
このように構成されたプライマリレギュレータバルブ１２２において、スプリング１２２ｂの付勢力をＦＳ、油室１２２ｃにおける制御油圧ＰＳＬＴの受圧面積をａ、油室１２２ｄにおけるライン油圧ＰＬの受圧面積差をｂとすると、次式（１）で平衡状態となる。従って、ライン油圧ＰＬは、次式（２）で表され、制御油圧ＰＳＬＴに比例する。
ＰＬ×ｂ＝ＰＳＬＴ×ａ＋ＦＳ  ・・・（１）
ＰＬ＝ＰＳＬＴ×（ａ／ｂ）＋ＦＳ／ｂ  ・・・（２）
【００３０】
このように、プライマリレギュレータバルブ１２２とリニアソレノイド弁ＳＬＴとは、油圧指令値としてのライン油圧制御指令信号ＳＰＬに基づいてオイルポンプ２８から吐出される作動油をライン油圧ＰＬに調圧する調圧装置として機能する。
【００３１】
モジュレータ油圧ＰＭは、制御油圧ＰＳＬＴおよびリニアソレノイド弁ＳＬＳの出力油圧である制御油圧ＰＳＬＳの元圧となるものであると共に、電子制御装置５０によってデューティ制御されるソレノイド弁ＤＳ１の出力油圧である制御油圧ＰＤＳ１およびソレノイド弁ＤＳ２の出力油圧である制御油圧ＰＤＳ２の元圧となるものであって、ライン油圧ＰＬを元圧としてモジュレータバルブ１２６により一定圧に調圧されるようになっている。
【００３２】
出力油圧ＰＬＭ２は、ライン油圧ＰＬを元圧としてライン圧モジュレータNO.2バルブ１２８により制御油圧ＰＳＬＴに基づいて調圧されるようになっている。
【００３３】
前記マニュアルバルブ１２０において、入力ポート１２０ａには出力油圧ＰＬＭ２が供給される。そして、シフトレバー７４が「Ｄ」ポジション或いは「Ｌ」ポジションに操作されると、出力油圧ＰＬＭ２が前進走行用出力圧として前進用出力ポート１２０ｆを経て前進用クラッチＣ１に供給され且つ後進用ブレーキＢ１内の作動油が後進用出力ポート１２０ｒから排出ポートＥＸを経て例えば大気圧にドレーン（排出）されるようにマニュアルバルブ１２０の油路が切り換えられ、前進用クラッチＣ１が係合させられると共に後進用ブレーキＢ１が解放させられる。
【００３４】
また、シフトレバー７４が「Ｒ」ポジションに操作されると、出力油圧ＰＬＭ２が後進走行用出力圧として後進用出力ポート１２０ｒを経て後進用ブレーキＢ１に供給され且つ前進用クラッチＣ１内の作動油が前進用出力ポート１２０ｆから排出ポートＥＸを経て例えば大気圧にドレーン（排出）されるようにマニュアルバルブ１２０の油路が切り換えられ、後進用ブレーキＢ１が係合させられると共に前進用クラッチＣ１が解放させられる。
【００３５】
また、シフトレバー７４が「Ｐ」ポジションおよび「Ｎ」ポジションに操作されると、入力ポート１２０ａから前進用出力ポート１２０ｆへの油路および入力ポート１２０ａから後進用出力ポート１２０ｒへの油路がいずれも遮断され且つ前進用クラッチＣ１および後進用ブレーキＢ１内の作動油が何れもマニュアルバルブ１２０からドレーンされるようにマニュアルバルブ１２０の油路が切り換えられ、前進用クラッチＣ１および後進用ブレーキＢ１が共に解放させられる。
【００３６】
前記変速比コントロールバルブＵＰ１１４は、軸方向へ移動可能に設けられることによりライン油圧ＰＬを入力ポート１１４ｉから入出力ポート１１４ｊを経て入力側可変プーリ４２へ供給可能且つ入出力ポート１１４ｋを閉弁するアップシフト位置と入力側可変プーリ４２が入出力ポート１１４ｊを介して入出力ポート１１４ｋと連通させられる原位置とに位置させられるスプール弁子１１４ａと、そのスプール弁子１１４ａを原位置側に向かって付勢する付勢手段としてのスプリング１１４ｂと、そのスプリング１１４ｂを収容し且つスプール弁子１１４ａに原位置側に向かう推力を付与するために制御油圧ＰＤＳ２を受け入れる油室１１４ｃと、スプール弁子１１４ａにアップシフト位置側に向かう推力を付与するために制御油圧ＰＤＳ１を受け入れる油室１１４ｄとを備えている。
【００３７】
また、変速比コントロールバルブＤＮ１１６は、軸方向へ移動可能に設けられることにより入出力ポート１１６ｊが排出ポートＥＸと連通させられるダウンシフト位置と入出力ポート１１６ｊが入出力ポート１１６ｋと連通させられる原位置とに位置させられるスプール弁子１１６ａと、そのスプール弁子１１６ａを原位置側に向かって付勢する付勢手段としてのスプリング１１６ｂと、そのスプリング１１６ｂを収容し且つスプール弁子１１６ａに原位置側に向かう推力を付与するために制御油圧ＰＤＳ１を受け入れる油室１１６ｃと、スプール弁子１１６ａにダウンシフト位置側に向かう推力を付与するために制御油圧ＰＤＳ２を受け入れる油室１１６ｄとを備えている。
【００３８】
このように構成された変速比コントロールバルブＵＰ１１４および変速比コントロールバルブＤＮ１１６において、中心線より左側半分に示すようにスプール弁子１１４ａがスプリング１１４ｂの付勢力に従って原位置に保持されている閉じ状態では、入出力ポート１１４ｊと入出力ポート１１４ｋとが連通させられ、入力側可変プーリ４２（入力側油圧シリンダ４２ｃ）の作動油が入出力ポート１１６ｊへ流通することが許容される。また、中心線より右側半分に示すようにスプール弁子１１６ａがスプリング１１６ｂの付勢力に従って原位置に保持されている閉じ状態では、入出力ポート１１６ｊと入出力ポート１１６ｋとが連通させられ、推力比コントロールバルブ１１８からの推力比制御油圧Ｐτが入出力ポート１１４ｋへ流通することが許容される。
【００３９】
また、制御油圧ＰＤＳ１が油室１１４ｄへ供給されると、中心線より右側半分に示すようにスプール弁子１１４ａがその制御油圧ＰＤＳ１に応じた推力によりスプリング１１４ｂの付勢力に抗してアップシフト位置側へ移動させられ、ライン油圧ＰＬが制御油圧ＰＤＳ１に対応する流量で入力ポート１１４ｉから入出力ポート１１４ｊを経て入力側油圧シリンダ４２ｃへ供給されると共に、入出力ポート１１４ｋが遮断されて変速比コントロールバルブＤＮ１１６側への作動油の流通が阻止される。これにより、入力側油圧シリンダ４２ｃ内の流量が増大させられ、入力側油圧シリンダ４２ｃにより入力側可動シーブ４２ｂのシーブ位置Ｘが入力側固定シーブ４２ａ側へ移動させられ、入力側可変プーリ４２のＶ溝幅が狭くされて変速比γが小さくされるすなわち無段変速機１８がアップシフトされる。尚、このとき出力側可変プーリ４６のＶ溝幅が広くされるが、後述するように挟圧力コントロールバルブ１１０により伝動ベルト４８が滑りを生じないように出力側油圧シリンダ４６ｃのベルト挟圧Ｐdが調圧させられる。
【００４０】
また、制御油圧ＰＤＳ２が油室１１６ｄへ供給されると、中心線より左側半分に示すようにスプール弁子１１６ａがその制御油圧ＰＤＳ２に応じた推力によりスプリング１１６ｂの付勢力に抗してダウンシフト位置側へ移動させられ、入力側油圧シリンダ４２ｃの作動油が制御油圧ＰＤＳ２に対応する流量で入出力ポート１１４ｊから入出力ポート１１４ｋさらに入出力ポート１１６ｊを経て排出ポートＥＸから排出される。これにより、入力側油圧シリンダ４２ｃ内の流量が減少させられ、入力側油圧シリンダ４２ｃにより入力側可動シーブ４２ｂのシーブ位置Ｘが入力側固定シーブ４２ａとは反対側へ移動させられ、入力側可変プーリ４２のＶ溝幅が広くされて変速比γが大きくされるすなわち無段変速機１８がダウンシフトされる。尚、このとき出力側可変プーリ４６のＶ溝幅が狭くされ、後述するように挟圧力コントロールバルブ１１０により伝動ベルト４８が滑りを生じないように出力側油圧シリンダ４６ｃのベルト挟圧Ｐdが調圧させられる。
【００４１】
このように、ライン油圧ＰＬは変速制御圧Ｐinの元圧となるものであって、制御油圧ＰＤＳ１が出力されると変速比コントロールバルブＵＰ１１４に入力されたライン油圧ＰＬが入力側油圧シリンダ４２ｃへ供給されて変速制御圧Ｐinが高められて連続的にアップシフトされ、制御油圧ＰＤＳ２が出力されると入力側油圧シリンダ４２ｃの作動油が排出ポートＥＸから排出されて変速制御圧Ｐinが低められて連続的にダウンシフトされる。
【００４２】
前記シーブ位置Ｘは、変速比γが１であるときの入力側可動シーブ４２ｂの位置を基準位置すなわちシーブ位置Ｘ＝０として、軸と平行方向におけるその基準位置からの入力側可動シーブ４２ｂの絶対位置を表すものである。例えば、入力側固定シーブ４２ａ側を正（＋）とし、入力側固定シーブ４２ａとは反対側を負（−）とする（図１参照）。
【００４３】
また、制御油圧ＰＤＳ１は変速比コントロールバルブＤＮ１１６の油室１１６ｃに供給され、制御油圧ＰＤＳ２に拘らずその変速比コントロールバルブＤＮ１１６を閉じ状態としてダウンシフトを制限する一方、制御油圧ＰＤＳ２は変速比コントロールバルブＵＰ１１４の油室１１４ｃに供給され、制御油圧ＰＤＳ１に拘らずその変速比コントロールバルブＵＰ１１４を閉じ状態としてアップシフトを禁止するようになっている。つまり、制御油圧ＰＤＳ１および制御油圧ＰＤＳ２が共に供給されないときはもちろんであるが、制御油圧ＰＤＳ１および制御油圧ＰＤＳ２が共に供給されるときにも、変速比コントロールバルブＵＰ１１４および変速比コントロールバルブＤＮ１１６は何れも原位置に保持されている閉じ状態とされる。これにより、電気系統の故障などでソレノイド弁ＤＳ１、ＤＳ２の一方が機能しなくなり、制御油圧ＰＤＳ１または制御油圧ＰＤＳ２が最大圧で出力され続けるオンフェール時となった場合でも、急なアップシフトやダウンシフトが生じたり、その急変速に起因してベルト滑りが発生したりすることが防止される。
【００４４】
前記挟圧力コントロールバルブ１１０は、軸方向へ移動可能に設けられることにより入力ポート１１０ｉを開閉してライン油圧ＰＬを入力ポート１１０ｉから出力ポート１１０ｔを経て出力側可変プーリ４６および推力比コントロールバルブ１１８へベルト挟圧Ｐdを供給可能にするスプール弁子１１０ａと、そのスプール弁子１１０ａを開弁方向へ付勢する付勢手段としてのスプリング１１０ｂと、そのスプリング１１０ｂを収容し且つスプール弁子１１０ａに開弁方向の推力を付与するために制御油圧ＰＳＬＳを受け入れる油室１１０ｃと、スプール弁子１１０ａに閉弁方向の推力を付与するために出力ポート１１０ｔから出力されたベルト挟圧Ｐdを受け入れるフィードバック油室１１０ｄと、スプール弁子１１０ａに閉弁方向の推力を付与するためにモジュレータ油圧ＰＭを受け入れる油室１１０ｅとを備えている。
【００４５】
このように構成された挟圧力コントロールバルブ１１０において、伝動ベルト４８が滑りを生じないように制御油圧ＰＳＬＳをパイロット圧としてライン油圧ＰＬが連続的に調圧制御されることにより、出力ポート１１０ｔからベルト挟圧Ｐdが出力される。このように、ライン油圧ＰＬはベルト挟圧Ｐdの元圧となるものである。尚、出力ポート１１０ｔと出力側油圧シリンダ４６ｃとの間の油路には油圧センサ１３０が設けられており、この油圧センサ１３０によりベルト挟圧Ｐdが検出される。
【００４６】
前記推力比コントロールバルブ１１８は、軸方向へ移動可能に設けられることにより入力ポート１１８ｉを開閉してライン油圧ＰＬを入力ポート１１８ｉから出力ポート１１８ｔを経て変速比コントロールバルブＤＮ１１６へ推力比制御油圧Ｐτを供給可能にするスプール弁子１１８ａと、そのスプール弁子１１８ａを開弁方向へ付勢する付勢手段としてのスプリング１１８ｂと、そのスプリング１１８ｂを収容し且つスプール弁子１１８ａに開弁方向の推力を付与するためにベルト挟圧Ｐdを受け入れる油室１１８ｃと、スプール弁子１１８ａに閉弁方向の推力を付与するために出力ポート１１８ｔから出力された推力比制御油圧Ｐτを受け入れるフィードバック油室１１８ｄとを備えている。
【００４７】
このように構成された推力比コントロールバルブ１１８において、油室１１８ｃにおけるベルト挟圧Ｐdの受圧面積をａ、フィードバック油室１１８ｄにおける推力比制御油圧Ｐτの受圧面積をｂ、スプリング１１８ｂの付勢力をＦＳとすると、次式（３）で平衡状態となる。従って、推力比制御油圧Ｐτは、次式（４）で表され、ベルト挟圧Ｐdに比例する。
Ｐτ×ｂ＝Ｐd×ａ＋ＦＳ  ・・・（３）
Ｐτ＝Ｐd×（ａ／ｂ）＋ＦＳ／ｂ  ・・・（４）
【００４８】
そして、制御油圧ＰＤＳ１および制御油圧ＰＤＳ２が共に供給されないか、或いは所定圧以上の制御油圧ＰＤＳ１および所定圧以上の制御油圧ＰＤＳ２がともに供給されて、変速比コントロールバルブＵＰ１１４および変速比コントロールバルブＤＮ１１６が何れも原位置に保持されている閉じ状態とされたときには、推力比制御油圧Ｐτが入力側油圧シリンダ４２ｃに供給されることから、変速制御圧Ｐinが推力比制御油圧Ｐτと一致させられる。つまり、推力比コントロールバルブ１１８により変速制御圧Ｐinとベルト挟圧Ｐdとの比率を予め定められた関係に保つ推力比制御油圧Ｐτすなわち変速制御圧Ｐinが出力される。
【００４９】
例えば、入力軸回転速度センサ５６や車速センサ５８の精度上所定車速Ｖ’以下の低車速状態では入力軸回転速度ＮＩＮや車速Ｖの検出精度が劣ることから、このような低車速走行時や発進時には、例えば制御油圧ＰＤＳ１および制御油圧ＰＤＳ２を共に供給せず変速比コントロールバルブＵＰ１１４および変速比コントロールバルブＤＮ１１６を何れも閉じ状態とする所謂閉じ込み制御を実行する。これにより、低車速走行時や発進時には変速制御圧Ｐinとベルト挟圧Ｐdとの比率を予め定められた関係とするようにベルト挟圧Ｐdに比例する変速制御圧Ｐinが入力側油圧シリンダ４２ｃへ供給されて、車両停車時から極低車速時における伝動ベルト４８のベルト滑りが防止されると共に、このとき例えば最大変速比γmaxに対応する推力比τ（＝出力側油圧シリンダ推力ＷＯＵＴ／入力側油圧シリンダ推力ＷＩＮ；ＷＯＵＴはベルト挟圧Ｐd×出力側油圧シリンダ４６ｃの受圧面積ＳＯＵＴ、ＷＩＮは変速制御圧Ｐin×入力側油圧シリンダ４２ｃの受圧面積ＳＩＮ）より大きな推力比τが可能なように上記式（４）の右辺第１項の（ａ／ｂ）やＦＳ／ｂが設定されていると、最大変速比γmax又はその近傍の変速比γmax’にて良好な発進が行われる。また、上記所定車速Ｖ’は、所定回転部材の回転速度例えば入力軸回転速度ＮＩＮが検出不可能な回転速度となる車速Ｖとして予め定められた下限の車速であって、例えば２km/h程度に設定されている。
【００５０】
図４は、電子制御装置５０による制御機能の要部を説明する機能ブロック線図である。
【００５１】
図４において、目標シーブ位置設定手段１５０は、無段変速機１８を変速制御するための目標値として目標シーブ位置Ｘtを設定する。具体的には、目標シーブ位置設定手段１５０は、入力軸回転速度ＮＩＮの目標入力軸回転速度ＮＩＮ＊を設定する目標入力回転設定手段１５２と、目標入力軸回転速度ＮＩＮ＊を目標変速比γ＊に変換する目標変速比算出手段１５４とを備え、目標変速比γ＊をシーブ位置Ｘに変換して目標シーブ位置Ｘtを設定する。
【００５２】
例えば、前記目標入力回転設定手段１５２は、図５に示すようなアクセル開度Ａccをパラメータとして車速Ｖと無段変速機１８の目標入力回転速度である目標入力軸回転速度ＮＩＮ＊との予め定められて記憶された関係（変速マップ）から実際の車速Ｖおよびアクセル開度Ａccで示される車両状態に基づいて入力軸回転速度ＮＩＮの目標入力軸回転速度ＮＩＮ＊を設定する。
【００５３】
また、前記目標変速比算出手段１５４は、電子制御装置５０に供給された出力軸回転速度ＮＯＵＴを表す信号に基づいて出力軸回転速度ＮＯＵＴを読み込むと共に、前記目標入力回転設定手段１５２により設定された目標入力軸回転速度ＮＩＮ＊とその出力軸回転速度ＮＯＵＴとに基づいて目標変速比γ＊（＝ＮＩＮ＊／ＮＯＵＴ）を算出する。
【００５４】
また、前記目標シーブ位置設定手段１５０は、変速比γとその変速比γに対して一義的に定まるシーブ位置Ｘとの予め定められて記憶された図示しない関係（シーブ位置マップ）から前記目標変速比算出手段１５４により算出された目標変速比γ＊に基づいて目標シーブ位置Ｘtを設定する。
【００５５】
ここで、本実施例の変速制御においては、無段変速機１８を変速制御するための目標値として上記目標シーブ位置Ｘtを設定し、実際のシーブ位置（以下、実シーブ位置という）Ｘが目標シーブ位置Ｘtとなるように変速を行うものであって、目標シーブ位置Ｘtの変化量（以下、目標シーブ位置変化量という）ｄＸtに基づくフィードフォワード制御に加え、目標シーブ位置Ｘtと実シーブ位置Ｘとの偏差ΔＸ（＝Ｘt−Ｘ）に基づくフィードバック制御を実行する。つまり、フィードフォワード制御の実行に必要なフィードフォワード制御量とフィードバック制御の実行に必要なフィードバック制御量とに基づいて無段変速機１８の変速を行う。尚、本明細書においては、変化量は、単位時間当たりの変化量を示すものであり、また繰り返し実行される制御作動にて用いられることから実質的に変化速度と同義である。また、シーブ位置Ｘ（目標シーブ位置Ｘt）の変化量は移動量と同義である。
【００５６】
ところで、上記フィードフォワード制御においては、目標シーブ位置Ｘtが一定となる定常域すなわち目標シーブ位置Ｘtが変化せず目標シーブ位置変化量ｄＸtが零となる定常域では、フィードフォワード制御量が零とされてすなわちフィードフォワード指令値が出力されず変速が行われない。しかしながら、上述したように目標シーブ位置Ｘtは目標変速比γ＊に基づいて求められ、その目標変速比γ＊を設定するに当たっては出力軸回転速度ＮＯＵＴが用いられることから、この出力軸回転速度ＮＯＵＴに含まれるノイズ（外乱成分）等により目標シーブ位置Ｘtが変化し、ノイズ等の影響を受けやすい目標シーブ位置変化量ｄＸtが小さな領域においては、特に本来なら目標シーブ位置Ｘtが変化しない定常域においては、そのノイズ等によるフィードフォワード指令値が出力されることにより変速ハンチングが生じる可能性がある。
【００５７】
そこで、本実施例では、出力軸回転速度ＮＯＵＴに含まれるノイズの影響を小さくするために、フィードフォワード指令値の算出に際して、そのフィードフォワード指令値の大きさを調整するためのゲインＫを設け、目標シーブ位置変化量ｄＸtの絶対値が小さいときには大きいときに比べてそのゲインＫを小さくする。以下、ゲインＫの設定について詳細に説明する。
【００５８】
目標シーブ位置変化量算出手段１５６は、前記目標シーブ位置設定手段１５０により設定された目標シーブ位置Ｘtに基づいて次式（５）に従って目標シーブ位置変化量ｄＸtを算出する。尚、Ｘt(ｉ)は繰り返し実行される制御作動（図９参照）におけるｉ回目の目標シーブ位置Ｘtであり、Ｘt(ｉ−１)は（ｉ−１）回目の目標シーブ位置Ｘtであり、ｄＸt(ｉ)はｉ回目の目標シーブ位置変化量ｄＸtである。
ｄＸt(ｉ)＝Ｘt(ｉ)−Ｘt(ｉ−１)  ・・・（５）
【００５９】
ゲイン設定手段１５８は、前記目標シーブ位置変化量算出手段１５６により算出された目標シーブ位置変化量ｄＸtに掛けることによりその目標シーブ位置変化量ｄＸtをゲイン処理するための前記ゲインＫを、目標シーブ位置変化量ｄＸtに基づいてその目標シーブ位置変化量ｄＸtの絶対値が小さいときには大きいときに比べて小さくなるように設定する。
【００６０】
例えば、ゲイン設定手段１５８は、ノイズの影響が一層小さくされるように、目標シーブ位置変化量ｄＸtの絶対値が所定値Ａよりも小さな範囲にあるときにはゲインＫを零とする。この所定値Ａは、ノイズ等の影響を受けやすい目標シーブ位置変化量ｄＸtの絶対値が小さな領域においてフィードフォワード制御量を零として変速が行われないようにし、且つ変速応答性を悪化させないための予め実験的に求められて記憶された領域判定値である。
【００６１】
図６は、目標シーブ位置変化量（目標シーブ位置移動量）ｄＸtに応じて設定されるゲインＫの一例を示す図である。図６において、目標シーブ位置移動量ｄＸtが零となる定常域を挟み、その定常域を含む目標シーブ位置移動量ｄＸtの絶対値が所定値Ａよりも小さな範囲（領域）では、フィードフォワード制御量が零とされてノイズ等の影響が除去されるようにゲインＫが零に設定される。本実施例では、この定常域を含む所定値Ａよりも小さな範囲を定常設定域と定める。また、この定常設定域ではない領域においては、目標シーブ位置移動量ｄＸtに対応するフィードフォワード制御量が全て出力されるようにゲインＫが１に設定される。
【００６２】
また、無段変速機１８の油温ＴＣＶＴが低くなる程変速応答性が悪くなることから、前記ゲイン設定手段１５８は、ゲインＫを零とする定常設定域を狭くして変速応答性を向上するように、無段変速機１８の油温ＴＣＶＴが低いときには高いときに比べて所定値Ａを小さくしても良い。
【００６３】
また、車速Ｖが低くなる程変速応答性が悪くなる場合には、前記ゲイン設定手段１５８は、ゲインＫを零とする定常設定域を狭くして変速応答性を向上するように、車速Ｖが低いときには高いときに比べて所定値Ａを小さくしても良い。
【００６４】
フィードフォワード制御量算出手段１６０は、前記目標シーブ位置設定手段１５０により設定された目標シーブ位置Ｘtに基づいてフィードフォワード制御の実行に必要なフィードフォワード制御量としてのフィードフォワード出力流量ＱＦＦを算出する。例えば、フィードフォワード制御量算出手段１６０は、前記目標シーブ位置変化量算出手段１５６により算出された目標シーブ位置変化量ｄＸtに対して前記ゲイン設定手段１５８により設定されたゲインＫを掛けてその目標シーブ位置変化量ｄＸtをゲイン処理した後、ゲイン処理後の目標シーブ位置変化量ｄＸtと入力側油圧シリンダ４２ｃの受圧面積ＳＩＮとに基づいて次式（６）に従ってフィードフォワード出力流量ＱＦＦを算出する。
ＱＦＦ(ｉ)＝Ｋ×ｄＸt(ｉ)×ＳＩＮ  ・・・（６）
【００６５】
フィードバック補正量算出手段１６２は、前記目標シーブ位置設定手段１５０により設定された目標シーブ位置Ｘtと実シーブ位置Ｘとの偏差ΔＸ（＝Ｘt−Ｘ）に基づいてフィードバック制御の実行に必要なフィードバック補正量としてのフィードバック出力流量ＱＦＢを算出する。例えば、フィードバック補正量算出手段１６２、次式（７）に従ってフィードバック出力流量ＱＦＢを算出する。尚、ΔＸ(ｉ)は繰り返し実行される制御作動（図９参照）におけるｉ回目の偏差ΔＸであり、Ｃはフィードバックゲインである。また、上記実シーブ位置Ｘは、例えば前記シーブ位置マップから電子制御装置５０によって算出される実際の変速比γ（＝入力軸回転速度ＮＩＮ／出力軸回転速度ＮＯＵＴ）に基づいて算出される。
ＱＦＢ(ｉ)＝Ｃ×ΔＸ(ｉ)＋Ｃ×∫dΔＸ(ｉ)dt  ・・・（７）
【００６６】
出力流量算出手段１６４は、前記フィードフォワード制御量算出手段１６０により算出されたフィードフォワード出力流量ＱＦＦおよび前記フィードバック補正量算出手段１６２により算出されたフィードバック出力流量ＱＦＢに基づいて、無段変速機１８の変速制御に必要な変速制御量としての変速制御弁（変速比コントロールバルブＵＰ１１４および変速比コントロールバルブＤＮ１１６）の出力流量ＱＦＦＦＢ（＝ＱＦＦ＋ＱＦＢ）を算出する。尚、この出力流量ＱＦＦＦＢは、基本的にはアップシフトの際には正の値となり、ダウンシフト時には負の値となる。
【００６７】
推定差圧算出手段１６６は、変速制御弁（変速比コントロールバルブＵＰ１１４および変速比コントロールバルブＤＮ１１６）の上流側油圧であるライン油圧ＰＬと下流側油圧である変速制御圧Ｐinとのバルブ差圧の推定値（以下、推定バルブ差圧という）ΔＰを算出する。具体的には、推定差圧算出手段１６６は、変速制御圧Ｐinの推定値（以下、推定Ｐin圧という）を算出する推定Ｐin算出手段１６８と、実際のライン油圧ＰＬの推定値（以下、推定ライン油圧という）を算出する推定ＰＬ算出手段１７０とを備え、その推定Ｐin圧と推定ライン油圧とに基づいて推定バルブ差圧ΔＰを算出する。
【００６８】
例えば、前記推定Ｐin算出手段１６８は、次式（８）〜（１０）に従って推定Ｐin圧を算出する。尚、ｋＩＮは入力側油圧シリンダ４２ｃの遠心油圧係数、ａ、ｂ、ｃ、ｄは実験的に求められた係数、ＴＩＮは無段変速機１８への入力トルク、Ｐdは油圧センサ１３０により検出されたベルト挟圧、ｋＯＵＴは出力側油圧シリンダ４６ｃの遠心油圧係数である。
推定Ｐin圧＝（ＷＩＮ−ｋＩＮ×ＮＩＮ２）／ＳＩＮ  ・・・（８）
ＷＩＮ＝ＷＯＵＴ／（ａ＋ｂ×log１０γ＋ｃ×ＴＩＮ＋ｄ×ＮＩＮ）  ・・・（９）
ＷＯＵＴ＝Ｐd×ＳＯＵＴ＋ｋＯＵＴ×ＮＯＵＴ２  ・・・（１０）
【００６９】
また、上記入力トルクＴＩＮは、エンジントルク推定値ＴＥ０、トルクコンバータ１４のトルク比ｔ、および入力慣性トルク等から算出される。例えば、このエンジントルク推定値ＴＥ０はスロットル弁開度θＴＨをパラメータとしてエンジン回転速度ＮＥとエンジントルク推定値ＴＥ０との予め実験的に求めて記憶された図示しない関係（エンジントルクマップ）から実際のエンジン回転速度ＮＥおよびスロットル弁開度θＴＨに基づいて算出され、トルク比ｔは（ＮＩＮ／ＮＥ）の関数であり、入力慣性トルクは入力軸回転速度ＮＩＮの時間変化量から算出される。
【００７０】
また、前記推定ＰＬ算出手段１７０は、例えばライン油圧制御指令信号ＳＰＬとライン油圧ＰＬとの予め実験的に求められて記憶された図示しない関係（ライン油圧特性）から電子制御装置５０により出力されているライン油圧制御指令信号ＳＰＬに基づいて推定ライン油圧を算出する。
【００７１】
また、前記推定差圧算出手段１６６は、前記推定ＰＬ算出手段１７０により算出された推定ライン油圧と前記推定Ｐin算出手段１６８により算出された推定Ｐin圧とに基づいて推定バルブ差圧ΔＰ（＝推定ライン油圧−推定Ｐin圧）の演算値を算出する。
【００７２】
変速制御手段１７２は、前記出力流量算出手段１６４により算出された出力流量ＱＦＦＦＢが得られる為の変速指令値としての変速制御指令信号ＳＴを算出し、その変速制御指令信号ＳＴを油圧制御回路１００へ出力して無段変速機１８の変速を実行する。例えば、変速制御手段１７２は、図７に示すような流量Ｑをパラメータとして推定バルブ差圧ΔＰと変速制御指令信号ＳＴとしてのDuty値（駆動指令値）との予め実験的に求められて記憶された関係（逆変換流量マップ）から上記出力流量ＱＦＦＦＢおよび前記推定差圧算出手段１６６により算出された推定バルブ差圧ΔＰに基づいてDuty値を設定し、そのDuty値を油圧制御回路１００へ出力して変速比γを連続的に変化させる。
【００７３】
ベルト挟圧力設定手段１７４は、例えば図８に示すような伝達トルクに対応するアクセル開度Ａccをパラメータとして変速比γとベルト挟圧力Ｐd＊とのベルト滑りが生じないように予め実験的に求められて記憶された関係（ベルト挟圧力マップ）から実際の変速比γおよびアクセル開度Ａccで示される車両状態に基づいてベルト挟圧力Ｐd＊を設定する。つまり、ベルト挟圧力設定手段１７４は、ベルト挟圧力Ｐd＊が得られる為の出力側油圧シリンダ４６ｃのベルト挟圧Ｐdを設定する。
【００７４】
ベルト挟圧力制御手段１７６は、前記ベルト挟圧力設定手段１７４により設定されたベルト挟圧力Ｐd＊が得られる為の出力側油圧シリンダ４６ｃのベルト挟圧Ｐdに調圧する挟圧力制御指令信号ＳＢを油圧制御回路１００へ出力してベルト挟圧力Ｐd＊すなわち可変プーリ４２、４６と伝動ベルト４８との間の摩擦力を増減させる。
【００７５】
油圧制御回路１００は、上記変速制御指令信号ＳＴに従って無段変速機１８の変速が実行されるようにソレノイド弁ＤＳ１およびソレノイド弁ＤＳ２を作動させて入力側油圧シリンダ４２ｃへの作動油の供給・排出量を制御すると共に、上記挟圧力制御指令信号ＳＢに従ってベルト挟圧力Ｐd＊が増減されるようにリニアソレノイド弁ＳＬＳを作動させてベルト挟圧Ｐdを調圧する。
【００７６】
エンジン出力制御手段１７８は、エンジン１２の出力制御の為にエンジン出力制御指令信号ＳＥ、例えばスロットル信号や噴射信号や点火時期信号などをそれぞれスロットルアクチュエータ７６や燃料噴射装置７８や点火装置８０へ出力する。例えば、エンジン出力制御手段１７８は、アクセル開度Ａccに応じたスロットル開度θＴＨとなるように電子スロットル弁３０を開閉するスロットル信号をスロットルアクチュエータ７６へ出力してエンジントルクＴＥを制御する。
【００７７】
ここで、前記ゲインＫの設定や前記フィードフォワード出力流量ＱＦＦの算出等に際して、前記目標シーブ位置変化量算出手段１５６により算出された目標シーブ位置変化量ｄＸtをそのまま用いたが、ノイズ等の影響により目標シーブ位置変化量ｄＸtは振動的であることから、本明細書において目標シーブ位置変化量ｄＸtを用いる場合は、この目標シーブ位置変化量ｄＸtに替えて目標シーブ位置変化量ｄＸtをなまし処理したなまし後目標シーブ位置変化量ｄＸt’を用いてもよい。
【００７８】
上記目標シーブ位置変化量ｄＸtのなまし処理は、例えばなまし処理手段１８０により実行される。なまし処理手段１８０は、例えば所定時間当たりの目標シーブ位置変化量ｄＸtの平均値をなまし後目標シーブ位置変化量ｄＸt’として算出したり、次式（１１）に従ってなまし後目標シーブ位置変化量ｄＸt’を算出する。尚、ｄＸt(ｉ)およびｄＸt’(ｉ)はそれぞれ繰り返し実行される制御作動（図９参照）におけるｉ回目の目標シーブ位置変化量ｄＸtおよびなまし後目標シーブ位置変化量ｄＸt’であり、ｄＸt(ｉ−１)およびｄＸt’(ｉ−１)はそれぞれ（ｉ−１）回目の目標シーブ位置変化量ｄＸtおよびなまし後目標シーブ位置変化量ｄＸt’であり、Ｎはなまし係数である。
ｄＸt’(ｉ)＝ｄＸt(ｉ−１)＋（ｄＸt(ｉ)−ｄＸt’(ｉ−１)）／Ｎ  ・・・（１１）
【００７９】
図９は、電子制御装置５０の制御作動の要部すなわち無段変速機１８の変速の際にフィードフォワード出力流量ＱＦＦ（見方を換えれば変速制御指令信号ＳＴ）を適切に算出して出力軸回転速度ＮＯＵＴに含まれるノイズ等の影響を受けやすい領域（すなわち目標シーブ位置移動量ｄＸtの絶対値が所定値Ａよりも小さな定常設定域）において変速ハンチングを抑制する為の制御作動を説明するフローチャートであり、例えば数ｍｓｅｃ乃至数十ｍｓｅｃ程度の極めて短いサイクルタイムで繰り返し実行されるものである。
【００８０】
図９において、先ず、前記目標入力回転設定手段１５２に対応するステップ（以下、ステップを省略する）Ｓ１において、例えば図５に示す変速マップから実際の車速Ｖおよびアクセル開度Ａccに基づいて目標入力軸回転速度ＮＩＮ＊が設定（算出）される。
【００８１】
次いで、前記目標変速比算出手段１５４に対応するＳ２において、電子制御装置５０に供給された出力軸回転速度ＮＯＵＴを表す信号に基づいて出力軸回転速度ＮＯＵＴが読み込まれる。
【００８２】
次いで、前記目標変速比算出手段１５４に対応するＳ３において、前記Ｓ１にて算出された目標入力軸回転速度ＮＩＮ＊と前記Ｓ２にて読み込まれた出力軸回転速度ＮＯＵＴとに基づいて目標変速比γ＊（＝ＮＩＮ＊／ＮＯＵＴ）が算出（演算）される。
【００８３】
次いで、前記目標シーブ位置設定手段１５０に対応するＳ４において、前記シーブ位置マップから前記Ｓ３にて演算された目標変速比γ＊に基づいて目標シーブ位置Ｘtが設定（演算）される。
【００８４】
次いで、前記目標シーブ位置変化量算出手段１５６に対応するＳ５において、前記Ｓ４にて演算された目標シーブ位置Ｘtに基づいて前記式（５）に従って目標シーブ位置変化量（目標シーブ位置移動量）ｄＸtが算出（演算）される。
【００８５】
次いで、前記なまし処理手段１８０に対応するＳ６において、前記Ｓ５にて演算された目標シーブ位置変化量ｄＸtがなまし処理される。例えば、所定時間当たりの目標シーブ位置変化量ｄＸtの平均値がなまし後目標シーブ位置変化量ｄＸt’として算出されたり、前記式（１１）に従ってなまし後目標シーブ位置変化量ｄＸt’が算出される。尚、このＳ６は必ずしも備えられる必要はない。
【００８６】
次いで、前記ゲイン設定手段１５８および前記フィードフォワード制御量算出手段１６０に対応するＳ７において、前記Ｓ６にてなまし処理されたなまし後目標シーブ位置変化量ｄＸt’に基づいてゲインＫが設定される。例えば、図６に示すように、そのなまし後目標シーブ位置変化量ｄＸt’の絶対値が所定値Ａよりも小さな定常設定域にあるときにはゲインＫが零とされ、定常設定域ではない領域にあるときには定常設定域からの過渡領域を除きゲインＫが１に設定される。この所定値Ａは、ゲインＫを零とする定常設定域が狭くされて変速応答性が向上されるように、無段変速機１８の油温ＴＣＶＴが低いときには高いときに比べて小さくされたり、車速Ｖが低いときには高いときに比べて小さくされても良い。更に、なまし後目標シーブ位置変化量ｄＸt’に対してこの設定されたゲインＫが掛けられてなまし後目標シーブ位置変化量ｄＸt’がゲイン処理される。
【００８７】
次いで、前記フィードフォワード制御量算出手段１６０に対応するＳ８において、前記Ｓ７にてゲイン処理されたゲイン処理後のなまし後目標シーブ位置変化量ｄＸt’と入力側油圧シリンダ４２ｃの受圧面積ＳＩＮとに基づいて前記式（６）に従ってフィードフォワード出力流量ＱＦＦが算出される。次いで、図示しないステップにおいて、フィードフォワード出力流量ＱＦＦと偏差ΔＸに基いて算出されたフィードバック出力流量ＱＦＢとに基づいて出力流量ＱＦＦＦＢ（＝ＱＦＦ＋ＱＦＢ）が算出され、その出力流量ＱＦＦＦＢが得られる為の変速制御指令信号ＳＴが算出され、その変速制御指令信号ＳＴが油圧制御回路１００へ出力されて無段変速機１８の変速が実行される。
【００８８】
上述のように、本実施例によれば、フィードフォワード出力流量ＱＦＦ（変速制御指令信号ＳＴ）の算出に際して、目標シーブ位置変化量ｄＸtに基づいてその目標シーブ位置変化量ｄＸtの絶対値が小さいときには大きいときに比べて小さくなるようにゲイン設定手段１５８によりフィードフォワード出力流量ＱＦＦの大きさを調整するためのゲインＫが設定されるので、目標シーブ位置変化量ｄＸtの絶対値が小さいときには大きいときに比べてフィードフォワード出力流量ＱＦＦの大きさが制限されて変速ハンチングの発生が抑制される。よって、目標シーブ位置変化量ｄＸtが小さな定常設定域において、特に目標シーブ位置Ｘtが変化しない定常域において変速ハンチングを抑制することができる。
【００８９】
また、本実施例によれば、目標シーブ位置変化量ｄＸtの絶対値が所定値Ａよりも小さな範囲にあるときにはゲイン設定手段１５８によりゲインＫが零とされるので、目標シーブ位置変化量ｄＸtの絶対値が所定値Ａよりも小さな定常設定域において、特に目標シーブ位置Ｘtが変化しない定常域において、フィードフォワード出力流量ＱＦＦが算出されるのが防止され言い換えればフィードフォワード制御のための変速制御指令信号ＳＴが出力されるのが防止され、一層変速ハンチングが抑制される。
【００９０】
また、本実施例によれば、ゲイン設定手段１５８により無段変速機１８の油温ＴＣＶＴが低いときには高いときに比べて所定値Ａが小さくされるので、油温ＴＣＶＴが低いために変速応答性が悪くなるときにはゲインＫを零とする定常設定域が狭くされて変速応答性が向上される。
【００９１】
また、本実施例によれば、ゲイン設定手段１５８により車速Ｖが低いときには高いときに比べて所定値Ａが小さくされるので、車速Ｖが低いために変速応答性が悪くなるときにはゲインＫを零とする定常設定域が狭くされて変速応答性が向上される。
【００９２】
以上、本発明の実施例を図面に基づいて詳細に説明したが、本発明はその他の態様においても適用される。
【００９３】
例えば、前述の実施例では、変速制御手段１７２は、出力流量算出手段１６４により算出された出力流量ＱＦＦＦＢが得られる為の変速制御指令信号ＳＴを算出し、その変速制御指令信号ＳＴを油圧制御回路１００へ出力して無段変速機１８の変速を実行したが、フィードフォワード制御量算出手段１６０により算出されたフィードフォワード出力流量ＱＦＦが得られる為のフィードフォワード指令値と、フィードバック補正量算出手段１６２により算出されたフィードバック出力流量ＱＦＢが得られる為のフィードバック指令値とをそれぞれ算出し、それらフィードフォワード指令値とフィードバック指令値とをそれぞれ油圧制御回路１００へ出力して無段変速機１８の変速を実行するようにしても良い。
【００９４】
また、前述の実施例では、目標シーブ位置変化量ｄＸtに対してゲインＫが掛けられて目標シーブ位置変化量ｄＸtがゲイン処理されたが、このゲイン処理は最終的にフィードフォワード指令値がゲイン処理されておればよく、例えばフィードフォワード出力流量ＱＦＦ(＝ｄＸt×ＳＩＮ）にゲインＫが掛けられてフィードフォワード出力流量ＱＦＦがゲイン処理されたり、フィードフォワード指令値にゲインＫが掛けられてフィードフォワード指令値がゲイン処理されても良い。このように、フィードフォワード出力流量ＱＦＦがゲイン処理される場合には、例えば図６に示したゲインＫの設定例における目標シーブ位置変化量（目標シーブ位置移動量）ｄＸtがフィードフォワード出力流量ＱＦＦに置き換えられる。
【００９５】
また、前述の実施例では、目標シーブ位置Ｘtを目標値としてフィードバック制御およびフィードフォワード制御が実行されたが、フィードバック制御はフィードフォワード制御とは必ずしも同一の目標値を用いて実行する必要はなく、フィードフォワード制御とは別に設定された相互に関連する目標値を用いて実行するようにしても良い。例えば、目標シーブ位置Ｘtを目標値として目標シーブ位置変化量ΔＸtに基づいてフィードフォワード制御を実行し、目標シーブ位置Ｘtと一対一に対応する目標入力軸回転速度ＮＩＮ＊を目標値としてその目標入力軸回転速度ＮＩＮ＊と実際の入力軸回転速度ＮＩＮとの偏差に基づいてフィードバック制御を実行しても良い。
【００９６】
また、前述の実施例では、フィードバック制御とフィードフォワード制御とにより無段変速機１８の変速が行われる変速制御装置を説明したが、フィードフォワード制御のみにより無段変速機１８の変速が行われる変速制御装置であっても良い。
【００９７】
また、前述の実施例では、推定Ｐin算出手段１６８による推定Ｐin圧の算出に際して、ベルト挟圧Ｐdとして、油圧センサ１３０により検出されるベルト挟圧Ｐdを用いたが、ベルト挟圧力設定手段１７４により設定されたベルト挟圧Ｐdを用いてもよい。尚、ベルト挟圧Ｐdとして、油圧センサ１３０により検出されるベルト挟圧Ｐdを用いない場合には、この油圧センサ１３０は必ずしも備えられなくとも良い。
【００９８】
また、前述の実施例における入力軸回転速度ＮＩＮやそれに関連する目標入力軸回転速度ＮＩＮ＊などは、それら入力軸回転速度ＮＩＮなどに替えて、エンジン回転速度ＮＥやそれに関連する目標エンジン回転速度ＮＥ＊など、或いはタービン回転速度ＮＴやそれに関連する目標タービン回転速度ＮＴ＊などであっても良い。
【００９９】
また、前述の実施例において、流体伝動装置としてロックアップクラッチ２６が備えられているトルクコンバータ１４が用いられていたが、ロックアップクラッチ２６は必ずしも設けられなくてもよく、またトルクコンバータ１４に替えて、トルク増幅作用のない流体継手（フルードカップリング）などの他の流体式動力伝達装置が用いられてもよい。
【０１００】
なお、上述したのはあくまでも一実施形態であり、本発明は当業者の知識に基づいて種々の変更、改良を加えた態様で実施することができる。
【図面の簡単な説明】
【０１０１】
【図１】本発明が適用された車両用駆動装置を説明する骨子図である。
【図２】図１の車両用駆動装置などを制御するために車両に設けられた制御系統の要部を説明するブロック線図である。
【図３】油圧制御回路のうち無段変速機のベルト挟圧力制御、変速比制御、およびシフトレバーの操作に伴う前進用クラッチ或いは後進用ブレーキの係合油圧制御に関する要部を示す油圧回路図である。
【図４】図２の電子制御装置の制御機能の要部を説明する機能ブロック線図である。
【図５】無段変速機の変速制御において目標入力回転速度を求める際に用いられる変速マップの一例を示す図である。
【図６】目標シーブ位置移動量に応じて設定されるゲインの一例を示す図である。
【図７】出力流量に基づいて変速制御弁を駆動するためのDuty値を設定する際に用いられる逆変換流量マップの一例を示す図である。
【図８】無段変速機の挟圧力制御において変速比等に応じてベルト挟圧力を求めるベルト挟圧力マップの一例を示す図である。
【図９】図２の電子制御装置の制御作動の要部すなわち無段変速機の変速の際にフィードフォワード流量を適切に算出して定常設定域において変速ハンチングを抑制する為の制御作動を説明するフローチャートである。
【符号の説明】
【０１０２】
１８：無段変速機
４２：入力側可変プーリ（プライマリプーリ）
４２ａ：入力側固定シーブ（固定シーブ）
４２ｂ：入力側可動シーブ（可動シーブ）
４２ｃ：入力側油圧シリンダ（油圧アクチュエータ）
４６：出力側可変プーリ（セカンダリプーリ）
４６ａ：出力側固定シーブ（固定シーブ）
４６ｂ：出力側可動シーブ（可動シーブ）
４８：伝動ベルト（ベルト）
５０：電子制御装置（変速制御装置）
１１４：変速比コントロールバルブＵＰ（変速制御弁）
１１６：変速比コントロールバルブＤＮ（変速制御弁）
１５８：ゲイン設定手段
【図１】
2008057587.tif 000003
【図２】
2008057587.tif 000004
【図３】
2008057587.tif 000005
【図４】
2008057587.tif 000006
【図５】
2008057587.tif 000007
【図６】
2008057587.tif 000008
【図７】
2008057587.tif 000009
【図８】
2008057587.tif 000010
【図９】
2008057587.tif 000011